(57)【要約】【課題】  戸先框に追加工を施すことなく操作具を簡単に取付けでき、操作具の有り無しに容易に対応可能な戸の提供。【解決手段】  框１と、一方側補助材２と、中間補助材３と、他方側補助材４と、パネル５と、操作具６とを備え、一方側補助材と中間補助材と他方側補助材は、中間補助材を一方側補助材と他方側補助材との間にして框の内周側に固定してあると共に、内周側に開口するパネル取付溝７を有し、中間補助材は、パネル取付溝外の室内側及び室外側の少なくとも一方に内周側に向けて突設する突状部９と、突状部の先端に膨んだ係合部１０とを有するものであり、操作具は、手掛け部１１と、突状部を挿通し且つ係合部を係合する係合溝１２と、パネル側面に設けたすべり止めクッション材１３とを有し、係合溝は長手方向の少なくとも一端に係合部を挿通自在にする開口８を有し、中間補助材の長手方向から係合部に係合してあり、すべり止めクッション材は、パネル面に圧着していることを特徴とする。【選択図】      図１
2005240486.tif 000002
【特許請求の範囲】
【請求項１】
框と、一方側補助材と、中間補助材と、他方側補助材と、パネルと、操作具とを備え、一方側補助材と中間補助材と他方側補助材は、中間補助材を一方側補助材と他方側補助材との間にして框の内周側に固定してあると共に、内周側に開口するパネル取付溝を有し、中間補助材は、パネル取付溝外の室内側及び室外側の少なくとも一方に内周側に向けて突設する突状部と、突状部の先端に膨んだ係合部とを有するものであり、操作具は、手掛け部と、突状部を挿通し且つ係合部を係合する係合溝と、パネル側面に設けたすべり止めクッション材とを有し、係合溝は長手方向の少なくとも一端に係合部を挿通自在にする開口を有し、中間補助材の長手方向から係合部に係合してあり、すべり止めクッション材は、パネル面に圧着していることを特徴とする戸。
【請求項２】
框と、補助材と、一方側補助材と、中間補助材と、他方側補助材と、パネルと、操作具とを備え、一方側補助材と中間補助材と他方側補助材は、中間補助材を一方側補助材と他方側補助材との間にして框の内周側に固定するものであるとともに、内周側に開口するパネル取付溝を有し、中間補助材は操作具取付部を有し、補助材は、框の内周側に固定するものであるとともに、内周側に開口するパネル取付溝を有し、且つ一方側補助材と中間補助材と他方側補助材の長手方向の合計寸法と略同一の長手方向寸法を有するものであり、一方側補助材と中間補助材と他方側補助材を框に取付ける場合と補助材を框に取付ける場合とを選択自在にしてあることを特徴とする戸。
【発明の詳細な説明】
【技術分野】
【０００１】
本発明は、開閉用の操作具を有する戸に関するものである。
【背景技術】
【０００２】
従来、アルミサッシの引戸において開閉操作を容易にするために操作具を設ける場合、障子の戸先框に穴を明けて掘り込み型の操作具を取付けたり、戸先框にＵ字状の操作具をビスで取付けたりしている。また戸の操作具として、特許文献１や特許文献２に示されているように、框の略全長に亘って取付ける長尺のものもある。
【特許文献１】特開２００３−３２１９５４号公報
【特許文献２】特開平１１−１５９２５５号公報
【発明の開示】
【発明が解決しようとする課題】
【０００３】
以上に述べたように、従来は戸に操作具を取付けるためには、框に穴や切り欠き、ネジ孔等を追加工しなければならず、操作具を設けない戸と比べて手間が掛かるため、製作コストが増大する。また、操作具の形態によって框の追加工の内容が異なり、加えて操作具を設けないものも混在していることから、部品の管理や組立等が煩雑となっている。本発明はこうした実情に鑑み、框に追加工を施すことなく操作具を簡単に取付けでき、操作具の有り無しに容易に対応可能な戸の提供を目的とする。
【課題を解決するための手段】
【０００４】
上記の課題を達成するために請求項１記載の発明による戸は、框と、一方側補助材と、中間補助材と、他方側補助材と、パネルと、操作具とを備え、一方側補助材と中間補助材と他方側補助材は、中間補助材を一方側補助材と他方側補助材との間にして框の内周側に固定してあると共に、内周側に開口するパネル取付溝を有し、中間補助材は、パネル取付溝外の室内側及び室外側の少なくとも一方に内周側に向けて突設する突状部と、突状部の先端に膨んだ係合部とを有するものであり、操作具は、手掛け部と、突状部を挿通し且つ係合部を係合する係合溝と、パネル側面に設けたすべり止めクッション材とを有し、係合溝は長手方向の少なくとも一端に係合部を挿通自在にする開口を有し、中間補助材の長手方向から係合部に係合してあり、すべり止めクッション材は、パネル面に圧着していることを特徴とする。
【０００５】
請求項２記載の発明による戸は、框と、補助材と、一方側補助材と、中間補助材と、他方側補助材と、パネルと、操作具とを備え、一方側補助材と中間補助材と他方側補助材は、中間補助材を一方側補助材と他方側補助材との間にして框の内周側に固定するものであるとともに、内周側に開口するパネル取付溝を有し、中間補助材は操作具取付部を有し、補助材は、框の内周側に固定するものであるとともに、内周側に開口するパネル取付溝を有し、且つ一方側補助材と中間補助材と他方側補助材の長手方向の合計寸法と略同一の長手方向寸法を有するものであり、一方側補助材と中間補助材と他方側補助材を框に取付ける場合と補助材を框に取付ける場合とを選択自在にしてあることを特徴とする。中間補助材の操作具取付部は、操作具を中間補助材の長手方向にスライドさせて係合取付けできるものであってもよいし、それ以外の構造、例えばビス止めによって操作具を取付けるものであってもよい。
【発明の効果】
【０００６】
請求項１記載の発明による戸は、框の内周側に、パネル取付溝を有する一方側補助材、中間補助材、他方側補助材を固定してあり、中間補助材は内周側に操作具の係合部を有しており、操作具の係合溝を中間補助材の長手方向から係合部に係合することにより、框に追加工を施すことなく操作具を簡単に取付けできる。操作具を取付けるか取付けないかは自由に選択できる。また操作具は、手掛け部の形状の異なる複数種類の操作具のうちから、選択的に取付けるようにすることも可能である。操作具は、すべり止めクッション材をパネル面に圧着することで、中間補助材の長手方向に動いたり室内外方向にぐらついたりするのを防止して確実に取付けできる。
【０００７】
請求項２記載の発明による戸も、操作具を取付けるために框に追加工を施す必要がなく、框の内周側に固定する補助材を変更することで、操作具の有り無しに容易に対応できる。
【発明を実施するための最良の形態】
【０００８】
以下、本発明の実施の形態を図面に基づいて説明する。図２は本発明に係る戸の一実施形態であって、部屋と部屋、あるいは室内と室外を仕切る引戸障子とした場合の正面図であり、図１はそのＡ−Ａ断面図である。この戸は、アルミニウム合金の押出形材からなる上框１７、下框１８、戸先框１、戸尻框１９が方形に枠組みされ、その枠内にガラスパネル５を保持している。戸先框１と戸尻框１９は、図１に示すように内周側面に補助材取付溝２０を長手方向に有しており、戸先框１の補助材取付溝２０には分割形成した上側補助材２、中間補助材３、下側補助材４を、上から順番に連続する状態で固定してあり、戸尻框１９の補助材取付溝２０には、一本物の補助材１６ａを固定してある。上框１７と下框１８の内周側面にも同じように補助材取付溝２０を有しており、補助材取付溝２０に補助材１６ｂ，１６ｃをそれぞれ固定してある。各補助材２，３，４，１６ａ，１６ｂ，１６ｃは、内周側に開口するパネル取付溝７を有しており、パネル取付溝７内にグレイジングチャンネル２１を介在させてガラスパネルの外周縁部を保持している。上框１７には、開口部の上面に固定した上枠材のレールに案内されるガイド部材（図示省略）が取付けてあり、下框１８には、開口部の下面に固定した下枠材のレールに案内される戸車（図示省略）が取付けてある。
【０００９】
戸先框１の中間に固定した中間補助材３は、図１に示すように、パネル取付溝７の溝外の室内側と室外側とに、内周側に向けて突設する突状部９と、突状部９の先端に略円形に膨らんだ係合部１０とを長手方向に有している。そして、その室内側の係合部１０に、戸の開閉操作のための操作具６を取付けてある。
【００１０】
操作具６は、手掛け部１１と、中間補助材の係合部１０に係合する係合溝１２と、すべり止めクッション材１３とを有している。係合溝１２は、外周側に開口する突状部挿通部１４と、突状部挿通部１４と連通し且つ係合部１０が係合する被係合部１５とを有している。突状部挿通部１４は、外周側が広くなるように約６０°の角度で開口しており、被係合部１５は、断面略円形のいわゆるタッピングホールとなっている。中間補助材３の係合部１０と操作具６の係合溝１２との間にはいくらかガタがあり、且つ操作具６の、係合溝１２より室内側の外周側面と戸先框１の内周側面との間に僅かなクリアランスを設けてあり、単に係合部１０と係合溝１２を係合させただけでは、操作具６は上下に移動し、係合部１０を支点として室内外方向に僅かに回転する。
【００１１】
すべり止めクッション材１３は、ゴム質の厚さ数ミリの円形のシール状のもので、これを図３に示すように、操作具６のパネル側面の中間補助材３側の縁に沿って上下に間隔をおいて複数接着してある。すべり止めクッション材１３は、すべり止め機能とクッション性を有し、操作具６に強固に取付できるものであればよいが、好適なものとしては、住友スリーエム株式会社製の商品名「クリアバンポン」が挙げられる。当該すべり止めクッション材１３は、耐久性と弾性に富むポリウレタンで作られており、色が透明で、高い摩擦係数による優れたすべり止め効果と非移行性を特徴とするもので、これを操作具６裏面の補助材側に設けてガラスパネル５の室内側面に圧着させることにより、操作具６が上下に移動したり室内外方向にぐらついたりするのを防止し、操作具６を係合部１０に確実に係合取付けできる。
【００１２】
図３は、操作具６を中間補助材３の係合部１０に係合取付けする際の様子を示している。操作具６の被係合部１５は、予め上方より止めネジ２２を捩じ込んで塞いであり、係合溝１２は下端に開口８を有している。この状態で操作具６を上から下にスライドさせて、中間補助材３の係合部１０と操作具６の係合溝１２とを係合させる。この時、操作具６の手掛け部１１がガラスパネル５から離れるように、操作具６を手前側に回転させるようにしながら下方にスライドさせることで、すべり止めクッション材１３とガラスパネル５との摩擦が軽減され、スムーズに取付けできる。中間補助材３の長さは操作具６の上下寸法よりも短くなっており、突状部９と係合部１０は操作具６からはみ出さない。また、操作具６を室内側に回転させるようにしながら上方にスライドさせれば、操作具６を取外すこともできる。
【００１３】
操作具６は、手掛け部１１の形状、色、材質が異なり、係合溝１２の形状を共通にしたものが複数種類用意されており、操作性とデザイン性を考慮して、その中から好きな操作具６を選んで取付けるようにしている。なお、図示したものでは室内側の係合部１０にだけ操作具６を取付けているが、室外側の係合部１０にも操作具６を取付けることができ、その場合に室外側の操作具６として室内側のものと形が違うものを選択することもできる。また、室内側にしか操作具６を取付けないのであれば、中間補助材３は室内側にのみ突状部９及び係合部１０を有するものとすることができる。
【００１４】
図４は、本発明に係る戸の一実施形態であって、戸先框１に操作具６を設けない場合を示している。この場合には、戸先框１内周側の補助材取付溝２０に、分割した上側補助材２と中間補助材３と下側補助材４とを取付ける代わりに、それら３本を合わせた長さを有し、内周側にパネル取付溝７を有し、且つ突状部９と係合部１０を有しない一本物の補助材２３（戸尻框１９に取付ける補助材１６ａと同じもの）を戸先框１に取付けている。それ以外の構成は、先に説明した操作具６を設ける戸と同じである。
【００１５】
本発明の戸は、以上に述べた実施形態に限定されない。戸の形態は引戸に限らず、開き扉であってもよく、操作具は戸の大きさ・形態に合わせて手掛け部の形状を任意に設計できる。パネルは、ガラスパネルに限らず樹脂パネルや木質パネルであってもよい。さらに本発明の戸は、部屋と部屋を仕切る戸ばかりでなく、家具等の戸にも適用できる。操作具は、係合溝が上側に開口し、係合溝を係合部に下方から係合させて取付けるものであってもよいし、係合溝が上側にも下側にも開口し、係合部に上下どちらからでも取付けできるものであってもよい。操作具は、竪框に限らず上框や下框に取付けることもでき、例えば横軸回転窓や上げ下げ窓等では、上框や下框に一方側補助材と中間補助材と他方側補助材を取付け、中間補助材に操作具を取付けることができる。
【図面の簡単な説明】
【００１６】
【図１】図２におけるＡ−Ａ断面図である。
【図２】本発明に係る戸の一実施形態を示す正面図であって、戸先框に操作具を設ける場合を示している。
【図３】操作具を中間補助材の係合部に取付けるときの様子を示す斜視図である。
【図４】本発明に係る戸の一実施形態を示す正面図であって、戸先框に操作具を設けない場合を示している。
【符号の説明】
【００１７】
１  戸先框（框）
２  上側補助材（一方側補助材）
３  中間補助材
４  下側補助材（他方側補助材）
５  ガラスパネル（パネル）
６  操作具
７  パネル取付溝
８  開口
９  突状部
１０  係合部（操作具取付部）
１１  手掛け部
１２  係合溝
１３  すべり止めクッション材
２３  補助材
【図１】
2005240486.tif 000003
【図２】
2005240486.tif 000004
【図３】
2005240486.tif 000005
【図４】
2005240486.tif 000006